(57)【要約】【課題】持ち運び用のグリップハンドルを設けた電子機器において、そのグリップハンドルが、電子機器の記録媒体挿入口に対する記録媒体の挿脱を阻害することがなく、突出して邪魔になることもなく、記録媒体挿入口の防塵機能を付与できるようにする。【解決手段】電子機器１０は、記録媒体挿入口１６、１８を前面に有する筐体１４を備える。グリップハンドル２０は、電子機器１０の前面の全幅に亘って延在するグリップバー３２と、その延在方向の両端に連結された一対のアーム３４とを備える。各アーム３４の基端と筐体１４は連結機構２２で連結されている。連結機構２２は、グリップハンドル２０を、グリップバー３２が筐体１４の前面に近接して記録媒体挿入口を略々閉塞する閉塞位置と、グリップバー３２が筐体１４の前面から離隔して記録媒体挿入口１６、１８を開放し記録媒体の挿脱を可能にする開放位置との間で移動可能に支持している。【選択図】図７
2006286110.tif 000002
【特許請求の範囲】
【請求項１】
記録媒体挿入口を前面に有する筐体と、
持ち運び用のグリップハンドルと、
前記グリップハンドルと前記筐体とを連結し、前記グリップハンドルが前記筐体の前記前面に近接して前記記録媒体挿入口を略々閉塞する閉塞位置と、前記グリップハンドルが前記筐体の前記前面から離隔して前記記録媒体挿入口を開放し記録媒体の挿脱を可能にする開放位置との間で前記グリップハンドルを移動可能に支持する連結機構と、
を備えることを特徴とする電子機器。
【請求項２】
前記連結機構は、前記グリップハンドルを、該グリップハンドルが前記筐体の前記前面から離隔する方向へ引き出された引出位置へ移動可能に支持しており、前記グリップハンドルは、前記閉塞位置から前記引出位置へ引き出された後に、前記筐体の前記前面に略々平行に延在する揺動軸心の回りに揺動して前記引出位置から前記開放位置へ移動されることを特徴とする請求項１記載の電子機器。
【請求項３】
前記グリップハンドルは、グリップバーと、前記グリップバーに連結されたアームとを備え、前記記録媒体挿入口の閉塞と開放は前記グリップバーにより行なわれ、前記連結機構は、前記アームの基端と前記筐体との間を連結していることを特徴とする請求項１記載の電子機器。
【請求項４】
前記グリップバーは前記筐体の略々全幅にわたって延在していることを特徴とする請求項３記載の電子機器。
【請求項５】
前記アームは前記グリップバーの延在方向の両端にそれぞれ設けられていることを特徴とする請求項４記載の電子機器。
【請求項６】
前記開放位置で前記グリップバーは、前記筐体の下面よりも下方に位置することを特徴とする請求項３記載の電子機器。
【請求項７】
前記連結機構は、前記電子機器の筐体に設けられた案内溝と、前記グリップハンドルに設けられ前記案内溝に係合する突起を有する摺動部材とを含んで構成されていることを特徴とする請求項１記載の電子機器。
【請求項８】
前記グリップハンドルを前記閉塞位置と前記開放位置とにそれぞれ係止させる係止機構が設けられていることを特徴とする請求項１記載の電子機器。
【請求項９】
前記連結機構は、前記グリップハンドルを、前記電子機器を載置面上に載置するときに該グリップハンドルが前記電子機器の支持脚部として機能する支持位置へ移動可能に支持しており、前記グリップハンドルは、前記閉塞位置から前記開放位置に揺動された後、さらに揺動されて前記開放位置から前記支持位置へ移動されることを特徴とする請求項１記載の電子機器。
【請求項１０】
電子機器の保持構造であって、
前記電子機器を装備すべき箇所に固定され、前記電子機器を接続する電気コネクタを有し、前記電子機器を挿脱可能に保持する保持ケースを備え、
前記電子機器は、
記録媒体挿入口を前面に有し前記保持ケースの前記電気コネクタに挿脱される電気コネクタを後面に有し前記保持ケースに挿脱される筐体と、
持ち運び用のグリップハンドルと、
前記グリップハンドルと前記筐体とを連結し、前記グリップハンドルが前記筐体の前記前面に近接して前記記録媒体挿入口を略々閉塞する閉塞位置と、前記グリップハンドルが前記筐体の前記前面から離隔して前記記録媒体挿入口を開放し記録媒体の挿脱を可能にする開放位置との間で前記グリップハンドルを移動可能に支持する連結機構とを備える、
ことを特徴とする電子機器の保持構造。
【請求項１１】
前記電子機器を前記保持ケースに挿入された状態でロック解除可能にロックするためのロック機構を備えたことを特徴とする請求項１０記載の電子機器の保持構造。
【請求項１２】
前記電子機器が車載電子機器であり、前記保持ケースが車両に固定されるケースであることを特徴とする請求項１０記載の電子機器の保持構造。
【請求項１３】
前記連結機構は、前記グリップハンドルを、該グリップハンドルが前記筐体の前記前面から離隔する方向へ引き出された引出位置へ移動可能に支持しており、前記グリップハンドルは、前記閉塞位置から前記引出位置へ引き出された後に、前記筐体の前記前面に略々平行に延在する揺動軸心の回りに揺動して前記引出位置から前記開放位置へ移動されることを特徴とする請求項１０記載の電子機器の保持構造。
【請求項１４】
前記グリップハンドルは、グリップバーと、前記グリップバーに連結されたアームとを備え、前記記録媒体挿入口の閉塞と開放は前記グリップバーにより行なわれ、前記連結機構は、前記アームの基端と前記筐体との間を連結していることを特徴とする請求項１０記載の電子機器の保持構造。
【請求項１５】
前記グリップバーは前記筐体の略々全幅にわたって延在していることを特徴とする請求項１４記載の電子機器の保持構造。
【請求項１６】
前記アームは前記グリップバーの延在方向の両端にそれぞれ設けられていることを特徴とする請求項１５記載の電子機器の保持構造。
【請求項１７】
前記開放位置で前記グリップバーは、前記筐体の下面よりも下方に位置することを特徴とする請求項１４記載の電子機器の保持構造。
【請求項１８】
前記連結機構は、前記電子機器の筐体に設けられた案内溝と、前記グリップハンドルに設けられ前記案内溝に係合する突起を有する摺動部材とを含んで構成されていることを特徴とする請求項１０記載の電子機器の保持構造。
【請求項１９】
前記グリップハンドルを前記閉塞位置と前記開放位置とにそれぞれ係止させる係止機構が設けられていることを特徴とする請求項１０記載の電子機器の保持構造。
【請求項２０】
前記連結機構は、前記グリップハンドルを、前記電子機器を載置面上に載置するときに該グリップハンドルが前記電子機器の支持脚部として機能する支持位置へ移動可能に支持しており、前記グリップハンドルは、前記閉塞位置から前記開放位置に揺動された後、さらに揺動されて前記開放位置から前記支持位置へ移動されることを特徴とする請求項１０記載の電子機器の保持構造。
【発明の詳細な説明】
【技術分野】
【０００１】
本発明は、持ち運び用のグリップハンドルを備えた電子機器、及びその保持構造に関する。
【背景技術】
【０００２】
近年の自動車用のナビゲーションシステムでは、地図情報のアップデートやプログラムのバージョンアップを容易に行えるように、そのナビゲーションシステムのコアユニットにハードディスクドライブ（ＨＤＤ）を搭載し、パーソナルコンピュータ（ＰＣ）を介して、アップデートやバージョンアップを行えるようにしたものがある。
また、自動車用のオーディオシステムにおいても、コンパクトディスク（ＣＤ）プレーヤなどの再生装置に加えて、更にＨＤＤを搭載し、ＰＣから楽曲の圧縮データをダウンロードできるようにしたものがある。
【０００３】
これらシステムのユーザは、ＨＤＤを内蔵しているそれらシステムのコアユニットを、自動車の装着箇所から抜脱して室内に持ち込み、ＵＳＢなどの適宜のインターフェースを介してＰＣに接続し、そのＰＣから、地図情報、プログラム、圧縮データなどのダウンロードを行う。
また、治安の良好でない地域では、ナビゲーションシステムやオーディオシステムの盗難防止のために、ドライバーが自動車から離れる際に、それらシステムのコアユニットを抜脱して携帯するということも行われている。
【０００４】
ＨＤＤはディスクを高速で回転し微小なクリアランスを隔ててディスクからヘッドでデータを読み取る構造であるため一般的に衝撃に弱く、そのため、ＨＤＤ内蔵のコアユニットを持ち運び中に手を滑らせて取り落としたりすると、ＨＤＤがひどく損傷するおそれがあるため、持ち運び用のグリップハンドルを備えることが望まれる。
また、コアユニットに装備したグリップハンドルは、自動車の搭載箇所コアユニットを抜脱することを容易にし、その点からもグリップハンドルを装備することが望まれる。
【０００５】
自動車のナビゲーションシステムやオーディオシステムのコアユニットのように、自動車内の装着箇所に対する抜脱が容易なようにユニットとして構成した電子機器は、多くの場合、その全体形状が、上下方向に扁平な直方体形状とされており、その前面の面積は比較的狭く、しかも、その狭い前面に、メモリスティック（登録商標）やコンパクトフラッシュ（登録商標）カードなどのメモリカードや、ＣＤやミニディスク（ＭＤ）などの記録媒体を挿入するための記録媒体挿入口が設けられている。
【０００６】
しかるに、自動車内の装着箇所に対する挿脱が容易なようにユニットとして構成した電子機器に装備するグリップハンドルの装備位置は、その電子機器を装着箇所に挿入する際にグリップハンドルが邪魔にならず、また、その電子機器を装着箇所から抜脱する際に容易に引き出せるように、その電子機器の前面とすべきである。
ただし、グリップハンドルが存在することによって、電子機器の前面の記録媒体挿入口に記録媒体を挿脱しにくくなってはならない。
また、自動車の車内は、屋内と比べれば塵埃レベルがはるかに高く、特に、電子機器が図２に示すように自動車の座席下方に設置された場合、床に溜まった埃や靴からの泥などの影響を受け易く、記録媒体挿入口には防塵用の蓋部材を設けることが望まれるが、その蓋部材とグリップハンドルとが干渉しては不都合である。
更に、グリップハンドルが電子機器の前面から前方へ大きく突出して、車内空間が狭められるようなことがあっても不都合である。
【０００７】
このような、自動車内の装着箇所に対する挿脱が容易なようにユニットとして構成した電子機器に、抜脱に際して電子機器を容易に引き出せるようにするための、ないしは、抜脱した後に電子機器を確実に把持して持ち運べるようにするためのグリップハンドルを設けたものは、従来より公知となっており、例えば、実公平７−５３３２９号公報、特開平１１−７３２４０号公報、特開２０００−３３９９４１号公報などに開示されている。
また、自動車に搭載する電子機器ではないが、ケースに対して挿脱可能なＨＤＤにグリップハンドルを装備したものが、実登３０４７９３６号公報に開示されている。
しかしながらこれら特許文献に開示されているグリップハンドルを備えた電子機器は、上に述べた車載電子機器の望ましい要件を好適に満たしているとは言い難い。
【特許文献１】実公平７−５３３２９号公報
【特許文献２】特開平１１−７３２４０号公報
【特許文献３】特開２０００−３３９９４１号公報
【特許文献４】実登３０４７９３６号公報
【発明の開示】
【発明が解決しようとする課題】
【０００８】
従って本発明の目的は、持ち運び用のグリップハンドルを設けた電子機器であって、そのグリップハンドルが、電子機器の記録媒体挿入口に対する記録媒体の挿脱を阻害することがなく、突出して邪魔になることもなく、記録媒体挿入口の防塵機能を付与できるようにした、電子機器を提供することにある。また、本発明の更なる目的は、かかる電子機器の保持構造を提供することにある。
【課題を解決するための手段】
【０００９】
上記の目的を達成するため本発明の電子機器は、記録媒体挿入口を前面に有する筐体と、持ち運び用のグリップハンドルと、前記グリップハンドルと前記筐体とを連結し、前記グリップハンドルが前記筐体の前記前面に近接して前記記録媒体挿入口を略々閉塞する閉塞位置と、前記グリップハンドルが前記筐体の前記前面から離隔して前記記録媒体挿入口を開放し記録媒体の挿脱を可能にする開放位置との間で前記グリップハンドルを移動可能に支持する連結機構とを備えることを特徴とする。
また、本発明の電子機器の保持構造は、電子機器を装備すべき箇所に固定され、前記電子機器を接続する電気コネクタを有し、前記電子機器を挿脱可能に保持する保持ケースを備え、前記電子機器は、記録媒体挿入口を前面に有し前記保持ケースの前記電気コネクタに挿脱される電気コネクタを後面に有し前記保持ケースに挿脱される筐体と、持ち運び用のグリップハンドルと、前記グリップハンドルと前記筐体とを連結し、前記グリップハンドルが前記筐体の前記前面に近接して前記記録媒体挿入口を略々閉塞する閉塞位置と、前記グリップハンドルが前記筐体の前記前面から離隔して前記記録媒体挿入口を開放し記録媒体の挿脱を可能にする開放位置との間で前記グリップハンドルを移動可能に支持する連結機構とを備えることを特徴とする。
【発明の効果】
【００１０】
本発明に係る持ち運び用のグリップハンドルを備えた電子機器、及びその保持構造によれば、グリップハンドルを閉塞位置と開放位置との間で移動させることができるため、グリップハンドルが、電子機器の記録媒体挿入口に対する記録媒体の挿脱を阻害することがなく、突出して邪魔になることもなく、記録媒体挿入口の防塵機能を付与できるものとなっている。
【発明を実施するための最良の形態】
【００１１】
以下に本発明の実施の形態について図面を参照しつつ詳細に説明する。
図１は本発明の実施の形態に係る持ち運び用グリップハンドルを備えた電子機器である自動車用のナビゲーションシステムのコアユニットと、このコアユニットを挿脱可能に保持する保持ケースとを示した斜視図、図２は保持ケースの取付態様を例示した自動車の助手席の模式図、図３は電子機器及び保持ケースの模式的断面図である。
図４乃至図８は上部筐体部材が取外された電子機器の説明図であり、図４はグリップハンドルが閉塞位置にある電子機器の斜視図、図５（Ａ）はグリップハンドルが閉塞位置にある電子機器の平面図、（Ｂ）は同側面図、（Ｃ）は同正面図、図６はグリップハンドルが引出位置にある電子機器の斜視図、図７はグリップハンドルが開放位置にある電子機器の斜視図、図８（Ａ）はグリップハンドルが開放位置にある電子機器の平面図、（Ｂ）は同側面図、（Ｃ）は同正面図である。
図９（Ａ）乃至（Ｃ）は連結機構の作用を説明するための図、図１０はばね部材の斜視図である。
図１１乃至図１５は上部筐体部材が取付けられた電子機器の説明図であり、図１１はグリップハンドルが閉塞位置にある電子機器の斜視図、図１２はグリップハンドルが引出位置にある電子機器の斜視図、図１３はグリップハンドルが開放位置にある電子機器の斜視図、図１４（Ａ）はグリップハンドルが閉塞位置にある電子機器の平面図、（Ｂ）は同側面図、（Ｃ）は同正面図、図１５（Ａ）はグリップハンドルが開放位置にある電子機器の平面図、（Ｂ）は同側面図、（Ｃ）は同正面図である。
図１６乃至図１８は電子機器を収容した保持ケースの斜視図であり、図１６はグリップハンドルが閉塞位置にある状態の図、図１７はグリップハンドルが引出位置にある状態の図、図１８はグリップハンドルが開放位置にある状態の図である。
図１に示すように、持ち運び用グリップハンドル２０を備えた電子機器である自動車用のナビゲーションシステムのコアユニット１０と、このコアユニット１０を挿脱可能に保持する保持ケース１２とによって、本発明の実施の形態に係る電子機器の保持構造が構成されている。
【００１２】
ここで、ナビゲーションシステムのコアユニット１０とは、ナビゲーションシステムのうち、自動車のフロントウィンドウガラスやリアウィンドウガラスなどの適宜の箇所に取り付けられるアンテナと、ダッシュボード上の適宜の箇所に取り付けられるディスプレイ装置とを除いた、そのナビゲーションシステムの中核的構成部分を持ち運び可能なユニットとして構成したものである。
コアユニット１０は、筐体１４を備え、この筐体１４の中には、データ及びプログラムを格納するためのハードディスクドライブ（ＨＤＤ）、プログラムに従って動作する中央処理装置（ＣＰＵ）、及びその他の公知の所要構成要素が収容されている。
また、図１に示されているのは、筐体１４を構成する上部筐体部材及び下部筐体部材のうちの上部筐体部材１４ａである。尚、本発明は、ナビゲーションシステムのコアユニットに限られず、ユニットとして構成された、例えば、オーディオシステムのコアユニットなどの様々な車載電子機器に適用し得るものであるため、以下の説明では、コアユニット１０を「電子機器」と呼ぶことにする。
【００１３】
保持ケース１２は、電子機器１０を装備すべき箇所に固定されるものであり、例えば、図２に示したように、自動車の助手席１１の下方の空間に配設されて、自動車のフロア１３に固定される。
【００１４】
電子機器１０の筐体１４は、その前面に、２つの記録媒体挿入口１６、１８を備えており、一方の記録媒体挿入口１６はメモリーステック（登録商標）を挿入するための挿入口であり、他方の記録媒体挿入口１８はコンパクトフラッシュ（登録商標）カードを挿入するための挿入口である。
電子機器１０は更に、持ち運び用のグリップハンドル２０を備えている。グリップハンドル２０は、以下に説明する連結機構２２を介して、筐体１４に対して相対移動可能な状態で筐体１４に連結されている。
【００１５】
筐体１４の全体形状は、上下に扁平な略々直方体の形状であり、この筐体１４を収容する保持ケース１２の全体形状も、同じく上下に扁平な略々直方体の形状である。保持ケース１２は、前面のみが開放した箱状のケースである。
筐体１４は、挿入された電子機器１０をこの保持ケース１２にロックするためのロック機構１５（図３に模式的に示した）を備えている。
このロック機構１５は、保持ケース１２の前面に設けられたロック解除ボタン１７を押下することでロック解除可能に構成されている。
保持ケース１２の奥壁部には、電子機器１０を接続する電気コネクタ２４（図３に模式的に示した）が装備されている。一方、電子機器１０の後面には、保持ケース１２の電気コネクタ２４に挿脱される電気コネクタ２６（図４、図５参照）が装備されている。
電子機器１０を保持ケース１２に挿入することによって、双方の電気コネクタ２４、２６が接続され、電子機器１０を保持ケース１２から抜脱することによってそれら電気コネクタ２４、２６が抜脱される。それら電気コネクタ２４、２６は、電子機器１０を、自動車のバッテリや、ナビゲーションシステムのアンテナ、それにディスプレイなどに接続するためのものである。
【００１６】
グリップハンドル２０は、電子機器１０の前面の略々全幅に亘って水平方向に延在するグリップバー３２と、その延在方向の両端に固定連結された一対のアーム３４とで構成されている。
上述した連結機構２２は、各々のアーム３４の基端と、電子機器の筐体１４とを連結するために、左右一対の機構として構成されている。
【００１７】
左右の連結機構２２は、互いに鏡面対象の関係にあるため、以下の説明では図７〜図１０を参照しつつ、一方の連結機構２２についてだけ説明する。
筐体１４は、図１に示した上側筐体部材１４aと、図４〜図８に示した下部筐体部材１４ｂとで構成されている。
連結機構２２は、グリップハンドル１０を下部筐体部材１４ｂに連結することによって、グリップハンドル１０を筐体１４に連結している。従って、図示例の連結機構２２はグリップハンドル１０を筐体１４に直接的に連結したものであるが、別の実施の形態として、連結機構２２が、グリップハンドル１０を筐体１４に連結したフレームやシャシなどに連結することによって、グリップハンドル１０を筐体１４に間接的に連結する構成としてもよい。
【００１８】
図６〜図８に示したように、連結機構２２は、下部筐体部材１４ｂに一体に形成した案内溝形成部３６及び案内フランジ部３７と、グリップハンドル２０のアーム３４に固定連結した摺動部材３８と、下部筐体部材１４ｂに固設したばね部材４０とで構成されている。尚、案内溝画成部３６及び案内フランジ部３７は、下部筐体部材１４ｂに一体に形成せずに、下部筐体部材１４ｂとは別体に形成した部材を下部筐体部材１４ｂに固設したものとしてもよい。
【００１９】
案内溝画成部３６は、図９に示したように、案内溝３６Ａを備えている。案内溝３６Ａは、電子機器１０の前後方向に直線状に延在する前後移動用の案内溝４４と、案内溝４４の前端に略々三角形に画成された回転用の三角溝部４６とで構成されている。
案内フランジ部３７は、その上面が水平方向に延在しており、案内溝４４と平行に筐体１４の前後方向に延在している。
摺動部材３８は、長円形の突起４８を備えている。この突起４８は案内溝画成部３６に係合しており、直線案内溝４４に案内されて電子機器１０の前後方向に移動可能であると共に、三角溝部４６の内部では一定の角度で回転可能となっている。これによって、摺動部材３８が、電子機器１０の前後方向に移動可能であると共に、突起４８が三角溝部４６の内部にあるときに、一定の角度で回転可能となっている。
【００２０】
図９に示したように、ばね部材４０には、第１板バネ突起４０ａ、第２板ばね突起４０ｂ、及び第３板バネ片４０ｃが形成されている。
図１０に示したように、それら第１板バネ突起４０ａ、第２板ばね突起４０ｂはばね部材４０の本体片４００２から延在する片体の先端に屈曲形成され、第３板バネ片４０ｃは本体片４００２から延在する片体で形成されている。
ばね部材４０はその本体片４００２のねじ挿通孔４００４に挿通されたねじが下部筐体部材１４ｂに突設されたボス部にねじ結合することで配設されている。
図９に示したように、摺動部材３８にはノッチ５２が形成されており、このノッチ５２は第２板ばね突起４０ｂと協働してクリック係止機構（スナップ係止機構）を構成するものである。摺動部材３８には、ノッチ５２と対照的な位置にもう１つのノッチが形成されているが、これは、摺動部材３８が反対側の連結機構２２に用いられたときに機能するものであり、図示した連結機構２２においては機能していない。
【００２１】
グリップハンドル２０のアーム３４が筐体１４に一杯に押し込まれているときには、図９（Ａ）に示したように、摺動部材３８の後端が第３板ばね片４０ｃに当接しており、また、摺動部材３８のノッチ５２が第２板ばね突起４０ｂと係合して、摺動部材３８はこの位置にクリック係止されている。
このとき、グリップハンドル２０は、図４、図５、図１１、図１４、図１６に示したように、グリップバー３２が筐体１４の前面に近接して記録媒体挿入口１６、１８を略々閉塞する閉塞位置にある。
【００２２】
図９（Ａ）の状態から、ユーザがグリップハンドル２０のグリップバー３２を把持して筐体１４の前面から離隔する方向へ引き出すと、グリップハンドル２０は図９（Ｂ）に示した引出位置へ移動され、この位置においては、摺動部材３８の突起４８が、案内溝４４の前端に当接しており、また、摺動部材３８が、第１板ばね突起４０ａによって、案内フランジ部３７へ押付けられている。
このとき、グリップハンドル２０は、図１、図６、図１２、図１７に示したように、グリップバー３２が筐体１４の前面から離隔した引出位置にある。
【００２３】
図９（Ｂ）の状態から、グリップハンドル２０を、筐体１４の前面に略々平行に延在する揺動軸芯の周りに揺動させることによって、図９（Ｃ）に示した状態にすることができる。図９（Ｃ）に示した状態では、第１板ばね突起４０ａが、摺動部材３８の後端を押圧することによって、グリップハンドル２０がこの位置にクリック係止されるようになっている。
このとき、グリップハンドル２０は、図８（Ｃ）、図１５（Ｃ）から明らかなように、グリップバー３２が筐体１４の前面から前方および下方に離隔して記録媒体挿入口１６、１８を開放し、記録媒体の挿脱を可能にする開放位置にあり、この状態を、図７，図８、図１３、図１５、図１８に示す。
このようにグリップハンドル２０が開放位置にあると、図８（Ｂ）、図１５（Ｂ）に示したように、グリップバー３２は筐体１４の下面の下方に位置している。
【００２４】
従って連結機構２２は、グリップハンドル２０を、上述した閉塞位置と、引出位置と、開放位置との間で移動可能に支持している。
自動車に搭載されている電子機器１０は、普段は図１６に示した状態にあり、グリップハンドル２０は閉塞位置にある。
電子機器１０を保持ケース１２から抜脱し、屋内に持ちむなどのように携帯する場合には、グリップハンドル２０を閉塞位置から引出位置に抜き出し、引出位置にあるグリップハンドル２０のグリップバー３２を把持して持ち運ぶ。
また、屋内に持ち込んでパーソナルコンピュータ（ＰＣ）などに接続して使用する際には、グリップハンドル２０を引出位置から開放位置に揺動させ、机の載置面などに置くと、グリップバー３２は筐体１４の下面の下方に位置していることから電子機器１０の前面を水平よりも上向きにすることができ、電子機器１０を机上で使用する上で便利になる。
【００２５】
また、電子機器１０を自動車に搭載したままで、記録媒体挿入口１６、１８に対してメモリースティック（登録商標）またはコンパクトフラッシュ（登録商標）カードの挿脱を行うには、グリップハンドル２０を閉塞位置から、引出位置、開放位置とし、その挿脱を行い、その後に再びグリップハンドル２０を閉塞位置に戻しておく。
【００２６】
従って、本発明によれば、持ち運び用のグリップハンドル２０を閉塞位置と開放位置との間で移動させることができるため、グリップハンドル２０が、電子機器１０の記録媒体挿入口１６、１８に対する記録媒体の挿脱を阻害することがなく、突出して邪魔になることもなく、記録媒体挿入口１６、１８の防塵機能も付与し得るものとなっている。
【００２７】
本発明に用いる連結機構は、以上に説明したものに限られず、様々な機構とすることができる。例えば、以上に説明した連結機構２２において、図１９に示すように、グリップハンドル２０の揺動可能な角度を更に大きくして、電子機器１０を机上などの載置面上に載置するときに、グリップハンドル２０が電子機器１０の支持脚部として機能する支持位置へ、グリップハンドル２０を揺動させることができるようにすれば、電子機器１０の前面を水平よりもさらに上向きにすることができ、電子機器１０を机上で使用する上で便利になる。この場合、その連結機構は、グリップハンドルを上述した揺動軸心の回りに更に揺動させることによって、グリップハンドルを開放位置から支持位置へ移動可能にするものとなる。
また、連結機構を、リンク機構を用いて、あるいは、ラックピニオン機構を用いて構成するなど、連結機構には従来公知の様々な構造を採用できるが、実施例のように構成すると、構造が簡単であるため、コンパクト化、低価格化を図る上で有利となる。
また、本実施の形態では、グリップハンドル２０を、閉塞位置と、引出位置と、開放位置との間で移動可能に支持するようにしたが、引出位置を省略し、グリップハンドル２０を、閉塞位置と開放位置との間で移動可能に支持するようにしてもよく、この場合には、案内溝３６Ａは、前端が後端よりも低い位置に位置する傾斜した直線状あるいは湾曲線状の単一の溝などで構成されることになる。
また、本実施の形態では、電子機器が車載用のものである場合について説明したが、電子機器は車載用に限定されず、ノート型ＰＣなどのような携帯型の電子機器に広く適用されるものである。
また、記録媒体挿入口１６、１８は、メモリーステック（登録商標）やコンパクトフラッシュ（登録商標）カード以外の記録媒体、例えば、ＣＤ、ＤＶＤやＭＤ、あるいはテープ状記録媒体の挿入口であってもよい。
また、本実施の形態では、グリップバー３２を電子機器１０の前面の略々全幅に亘って延在させ、また、グリップバー３２の延在方向の両端にそれぞれアーム３４を設けることでグリップハンドル２０を構成した場合について説明したが、グリップバー３２を記録媒体挿入口を開閉するに足るかつ把持するに足る電子機器１０の前面の幅よりも短い寸法の長さとし、また、アーム３４は２本に限定されず１本としてその配設箇所を変えるようにしてもよいが、実施の形態のように構成すると、グリップバー３２を把持し易く、グリップバー３２を把持して安定した状態で電子機器１０を持ち運びできる点で有利となる。
【図面の簡単な説明】
【００２８】
【図１】本発明の実施の形態に係る持ち運び用グリップハンドルを備えた電子機器である自動車用のナビゲーションシステムのコアユニットと、このコアユニットを挿脱可能に保持する保持ケースとを示した斜視図である。
【図２】保持ケースの取付態様を例示した自動車の助手席の模式図である。
【図３】電子機器及び保持ケースの模式的断面図である。
【図４】上部筐体部材が取外され、グリップハンドルが閉塞位置にある電子機器の斜視図である。
【図５】（Ａ）は上部筐体部材が取外され、グリップハンドルが閉塞位置にある電子機器の平面図、（Ｂ）は同側面図、（Ｃ）は同正面図である。
【図６】上部筐体部材が取外され、グリップハンドルが引出位置にある電子機器の斜視図である。
【図７】上部筐体部材が取外され、グリップハンドルが開放位置にある電子機器の斜視図である。
【図８】（Ａ）は上部筐体部材が取外され、グリップハンドルが開放位置にある電子機器の平面図、（Ｂ）は同側面図、（Ｃ）は同正面図である。
【図９】（Ａ）〜（Ｃ）は、連結機構の作用を説明するための図である。
【図１０】ばね部材の斜視図である。
【図１１】上部筐体部材が取付けられ、グリップハンドルが閉塞位置にある電子機器の斜視図である。
【図１２】上部筐体部材が取付けられ、グリップハンドルが引出位置にある電子機器の斜視図である。
【図１３】上部筐体部材が取付けられ、グリップハンドルが開放位置にある電子機器の斜視図である。
【図１４】（Ａ）は上部筐体部材が取付けられ、グリップハンドルが閉塞位置にある電子機器の平面図、（Ｂ）は同側面図、（Ｃ）は同正面図である。
【図１５】（Ａ）は上部筐体部材が取付けられ、グリップハンドルが開放位置にある電子機器の平面図、（Ｂ）は同側面図、（Ｃ）は同正面図である。
【図１６】グリップハンドルが閉塞位置にある電子機器を収容した保持ケースの斜視図である。
【図１７】グリップハンドルが引出位置にある電子機器を収容した保持ケースの斜視図である。
【図１８】グリップハンドルが開放位置にある電子機器を収容した保持ケースの斜視図である。
【図１９】グリップハンドルを電子機器の支持脚部として機能する支持位置へ揺動させた状態の説明図である。
【符号の説明】
【００２９】
１０……電子機器、１２……保持ケース、１６……記録媒体挿入口、１８……記録媒体挿入口、２０……グリップハンドル、２２……連結機構、３２……グリップバー、３４……アーム、３８……摺動部材、４０……ばね部材、４４……案内溝。
【図１】
2006286110.tif 000003
【図２】
2006286110.tif 000004
【図３】
2006286110.tif 000005
【図４】
2006286110.tif 000006
【図５】
2006286110.tif 000007
【図６】
2006286110.tif 000008
【図７】
2006286110.tif 000009
【図８】
2006286110.tif 000010
【図９】
2006286110.tif 000011
【図１０】
2006286110.tif 000012
【図１１】
2006286110.tif 000013
【図１２】
2006286110.tif 000014
【図１３】
2006286110.tif 000015
【図１４】
2006286110.tif 000016
【図１５】
2006286110.tif 000017
【図１６】
2006286110.tif 000018
【図１７】
2006286110.tif 000019
【図１８】
2006286110.tif 000020
【図１９】
2006286110.tif 000021